(57)【要約】【課題】  電子メールの宛先入力を簡単に行えるようにすること。【解決手段】  制御部１０４は、宛先メールアドレス表示情報をメモリ１０３から読み出して、表示部１０７における送信メール作成画面内の宛先メールアドレス入力用のテキストボックス２０１内に表示するように表示部１０７を制御する。操作部１０２が所定操作される毎に、メモリ１０３から読み出した宛先メールアドレス表示情報が表示部１０７に順番に且つ循環的に表示され、宛先メールアドレスが選択される。制御部１０４は、操作部１０２からメールのサブジェクト及び本文を入力した後、当該宛先宛に電子メールを送受信部１０５及びアンテナ１０６を介して送信する。【選択図】  図１
2007122299.tif 000002
【特許請求の範囲】
【請求項１】
電子メール送信機能を有する携帯型通信装置において、
表示手段と、操作手段と、宛先メールアドレスを選定するための情報である複数の宛先メールアドレス表示情報を記憶する記憶手段と、前記操作手段が所定操作される毎に、前記記憶手段から読み出した宛先メールアドレス表示情報を前記表示手段に順番に且つ循環的に表示するように前記表示手段を制御する制御手段とを備えて成り、
前記制御手段は、各宛先メールアドレス表示情報を送信メール作成画面内の宛先メールアドレス入力用のテキストボックス内に表示するように前記表示手段を制御することを特徴とする携帯型通信装置。
【請求項２】
前記制御手段は、前記表示手段の制御を送信メール作成時に行うことを特徴とする請求項１記載の携帯型通信装置。
【請求項３】
前記宛先メールアドレス表示情報は、複数の電子メールアドレスが関連付けられると共に、前記複数の電子メールアドレスの中から電子メールを送信する宛先メールアドレスを検索して選択するための情報であることを特徴とする請求項１又は２記載の携帯型通信装置。
【請求項４】
前記制御手段は、前記宛先メールアドレス表示情報に基づいて前記操作手段が選択した宛先メールアドレスを前記宛先メールアドレス入力用のテキストボックス内に表示するように前記表示手段を制御することを特徴とする請求項３記載の携帯型通信装置。
【請求項５】
前記複数の宛先メールアドレス表示情報には、予め登録されている複数の宛先メールアドレスの中から検索して選択するための電話帳検索、送信した電子メールの宛先メールアドレスの中から検索して選択するための送信履歴一覧及び受信した電子メールの宛先メールアドレスの中から検索して選択するための受信履歴一覧の中の少なくとも１つが含まれて成ることを特徴とする請求項１乃至４のいずれか一に記載の携帯型通信装置。
【請求項６】
前記宛先メールアドレス表示情報は、宛先メールアドレスであることを特徴とする請求項１又は２記載の携帯型通信装置。
【発明の詳細な説明】
【技術分野】
【０００１】
本発明は、携帯電話、ＰＨＳ（Personal Handyphone System）、電子メール送信機能を備えるＰＤＡ（携帯情報端末：Personal Digital Assistant）等の携帯型通信装置に関する。
【背景技術】
【０００２】
従来から、携帯電話やＰＨＳ等の電子メール送信機能を有する携帯型通信装置が開発されている。
従来、携帯電話等の携帯型通信装置において電子メールを作成する場合、操作部を操作することによって、電子メールの宛先欄に、電子メールの宛先を入力するようにしている。
宛先入力を行う場合、電子メールを送信したい相手のアドレスはあまり記憶していないため、電話帳等に記憶している宛先アドレスを表示部に順次表示させて、所望の宛先アドレスを表示させて、これを参照しながら入力するようにしている（例えば、特許文献１参照）。
【０００３】
これにより、送信相手の宛先を逐一記憶していなくても、所望の宛先アドレスに電子メールを送信することが可能になる。
また、操作部の操作キーの機能をカスタマイズすることにより、更に操作を容易にすることが可能になる（例えば、特許文献２参照）。
しかしながら、特許文献１記載の発明においては、操作部の操作キーを操作して宛先アドレスを構成する文字を１文字ずつ入力する必要があるため、宛先アドレスの入力操作が簡単になるという問題がある。この問題は、前記特許文献２記載の発明を適用したとしても解消されるものではない。
特に、高齢者や身体障害者等にとっては、宛先を参照して入力する場合でも宛先入力のキー操作が多いため操作が極めて煩雑であり、利用の妨げになっている。
【０００４】
【特許文献１】特開平１１−２４９７８５号公報
【特許文献２】特開２０００−２８５０８０号公報
【発明の開示】
【発明が解決しようとする課題】
【０００５】
本発明は、前記問題点に鑑み成されたもので、電子メールの宛先入力を簡単に行えるようにすることを課題としている。
【課題を解決するための手段】
【０００６】
本発明によれば、電子メール送信機能を有する携帯型通信装置において、表示手段と、操作手段と、宛先メールアドレスを選定するための情報である複数の宛先メールアドレス表示情報を記憶する記憶手段と、前記操作手段が所定操作される毎に、前記記憶手段から読み出した宛先メールアドレス表示情報を前記表示手段に順番に且つ循環的に表示するように前記表示手段を制御する制御手段とを備えて成り、前記制御手段は、各宛先メールアドレス表示情報を送信メール作成画面内の宛先メールアドレス入力用のテキストボックス内に表示するように前記表示手段を制御することを特徴とする携帯型通信装置が提供される。
制御手段は、各宛先メールアドレス表示情報を送信メール作成画面内の宛先メールアドレス入力用のテキストボックス内に表示するように表示手段を制御する。
【０００７】
ここで、前記制御手段は、前記表示手段の制御を送信メール作成時に行うように構成してもよい。
また、前記宛先メールアドレス表示情報は、複数の電子メールアドレスが関連付けられると共に、前記複数の電子メールアドレスの中から電子メールを送信する宛先メールアドレスを検索して選択するための情報であるように構成してもよい。
また、前記制御手段は、前記宛先メールアドレス表示情報に基づいて前記操作手段が選択した宛先メールアドレスを前記宛先メールアドレス入力用のテキストボックス内に表示するように前記表示手段を制御するように構成してもよい。
【０００８】
また、前記複数の宛先メールアドレス表示情報には、予め登録されている複数の宛先メールアドレスの中から検索して選択するための電話帳検索、送信した電子メールの宛先メールアドレスの中から検索して選択するための送信履歴一覧及び受信した電子メールの宛先メールアドレスの中から検索して選択するための受信履歴一覧の中の少なくとも１つが含まれて成るように構成してもよい。
また、前記宛先メールアドレス表示情報は、宛先メールアドレスであるように構成してもよい。
【発明の効果】
【０００９】
本発明によれば、電子メールの宛先入力を簡単に行うことが可能になる。したがって、電子メールアドレス設定までの操作速度がはやくなるという効果を奏する。
また、高齢者や身体障害者の利用が便利になるという効果を奏する。
【発明を実施するための最良の形態】
【００１０】
図１は、本発明の実施の形態に係る携帯型通信装置の構成を示すブロック図であり、携帯電話の例を示している。
図１において、携帯電話１００は、音声の入出力を行うマイクやスピーカによって構成される音声入出力部１０１、数字キー等の複数の操作キーを有する操作部１０２、プログラムや各種データを記憶するメモリ１０３、メモリ１０３に記憶されたプログラムを実行することにより、携帯電話１００の各構成要素の制御や全体の制御等の後述する処理を行う制御部１０４、アンテナ１０６を介して音声や電子メールやデータの送受信を無線で行う送受信部１０５、アンテナ１０６、表示部１０７を備えている。
【００１１】
ここで、音声入出力部１０１は音声入出力手段を構成し、操作部１０２は操作手段を構成し、メモリ１０３は記憶手段を構成し、制御部１０４は制御手段を構成し、送受信部１０５及びアンテナ１０６は送信手段を構成し、表示部１０７は表示手段を構成している。
図２及び図３は、表示部１０７における表示の遷移を示す図で、図２はメモリ１０３に記憶されている宛先メールアドレスを参照して入力する場合の処理（宛先参照入力処理）のフローを示す図であり又、図３は宛先アドレスを操作部１０２から直接選択して入力する場合の処理（宛先直接入力処理）のフローを示す図である。
【００１２】
以下、図１〜図３を用いて、本発明の実施の形態に係る携帯電話の動作を説明する。
先ず図２を用いて、メールアドレスを参照して宛先メールアドレスを入力する場合の処理について説明する。
使用者が操作部１０２を操作することにより、操作部１０２が宛先参照入力処理の開始画面を表示させる操作を行うと、制御部１０４は操作部１０２の前記操作に応答して、表示部１０７が宛先参照入力処理フローの開始画面（画面２）を表示するように表示部１０７を制御し、これにより、表示部１０７は宛先参照入力処理フローの開始画面（画面２）を表示する（処理ステップ１−１）。
【００１３】
表示部１０７には、新規作成の電子メール（新規メール）であること、宛先アドレスの入力欄（画面２では、宛先参照入力のテキストボックス２０１には、メモリ１０３に記憶されている電話帳を使用して宛先アドレスを選定するための宛先メールアドレス表示情報として「電話帳検索」が表示されている。）、電子メールのサブジェクト入力欄、電子メールの本文の入力欄、選択キーが表示されている。宛先メールアドレス表示情報「電話帳検索」には、操作部１０２によって検索できるように、複数の宛先メールアドレスが関連付けられて、メモリ１０３に記憶されている。
【００１４】
この状態で、操作部１０２を操作して、宛先参照入力のテキストボックス（宛先アドレスを参照して入力する宛先参照入力欄）２０１にフォーカスをあてる（即ち、テキストボックス２０１である宛先参照入力欄をデータ入力や選択入力等の入力の対象とする。この場合、例えば、カーソルをあてる等の方法でフォーカスをあてるように構成できる。）。尚、画面２には、宛先メールアドレス表示情報として、「電話帳検索」が表示されており、既に、氏名等から宛先メールアドレスを検索する機能である電話帳検索機能が使用可能な状態になっている。電話帳検索する場合は、この状態で操作部１０２を操作して、選択キーを操作することにより、所望の宛先メールアドレスの検索を行う（ステップ１−２）。
【００１５】
制御部１０４は、前記検索の結果、前記宛先メールアドレス表示情報に基づいて操作部１０２が選択した宛先メールアドレスを宛先メールアドレス入力用のテキストボックス２０１内に表示するように表示部１０７を制御する。
この状態で、メールのサブジェクト欄やメール本文欄に操作部１０２から必要な情報を入力し、操作部１０２によって送信操作を行うと、制御部１０４は、送受信部１０５及びアンテナ１０６を介して、当該アドレス宛に当該電子メールを送信処理する。
【００１６】
宛先参照入力のテキストボックス２０１にフォーカスがあたった状態で、選択キーの右キーを押下操作する。制御部１０４は、画面２の状態において操作部１０２が選択キーの右キーを操作すると、宛先参照入力テキストボックス２０１内の項目が（画面３）のように「電話帳検索」から「送信履歴一覧」に変わるように表示部１０７を制御する。表示部１０７には（画面３）の表示が行われる。送信履歴一覧には、過去に送信した宛先のアドレスが一覧となってメモリ１０３に記憶されている。送信履歴一覧を用いて宛先アドレスを選択する場合は、この状態で操作部１０２を操作して選択キーを押下操作する（ステップ１−３）。これにより、操作部１０２から、送信履歴一覧に関連付けてメモリ１０３に記憶された複数の宛先メールアドレスの中のいずれかを選択すると、当該宛先メールアドレスはテキストボックスル２０１に入力される。
【００１７】
宛先参照入力のテキストボックス２０１にフォーカスがあたった状態で、操作部１０２を操作することによって更に右キーを押下操作すると、制御部１０４は、前記操作に応答して、テキストボックス２０１内の項目が（画面６）のように「送信履歴一覧」から「直接入力」に変わるように表示部１０７を制御する。表示部１０７には（画面６）の表示が行われる。宛先アドレスを操作部１０２から手入力する場合は、この状態で操作部１０２を操作して選択キーを押下し、操作部１０２の操作によって宛先メールアドレスをテキストボックス２０１に直接入力する（ステップ１−４）。
【００１８】
一方、画面２において、宛先参照入力のテキストボックス２０１にフォーカスがあたった状態で、操作部１０２を操作して逆に左キーを押下操作すると、制御部１０４は、前記操作に応答して、テキストボックス２０１内の項目が画面１のように「電話帳検索」から「受信履歴一覧」に変わるように表示部１０７を制御する。表示部１０７は画面１の表示を行う。画面１では、受信履歴一覧には、過去に受信したアドレスが一覧となってメモリ１０３に記憶されている。受信履歴一覧で電子メールの宛先アドレスを選択する場合は、この状態で操作部１０２を操作して選択キーを押下操作する（ステップ１−５）。これにより、操作部１０２から、受信履歴一覧に関連付けてメモリ１０３に記憶された複数の宛先メールアドレスの中のいずれかを選択すると、当該宛先メールアドレスはテキストボックスル２０１に入力される。
【００１９】
画面１において状態で宛先参照入力のテキストボックス２０１にフォーカスがあたった状態で、操作部１０２の操作によって更に左キーを押下すると、テキストボックス内の項目が（画面４）のように「受信履歴一覧」から「メールメンバーリスト」に変わる。
メールメンバーリストには、１通のメールで複数に送信したいメールアドレスが登録されている。メールメンバーリストを選択する場合は、この状態で操作部１０２を操作することによって選択キーを押下操作する（ステップ１−６）。これにより、操作部１０２から、メールメンバーリストに関連付けてメモリ１０３に記憶された複数の宛先メールアドレスの中のいずれかを選択すると、当該宛先メールアドレスはテキストボックスル２０１に入力される。
尚、画面５は、宛先参照入力のテキストボックス２０１を、前記以外の方法で宛先入力できるように設定可能にしている。
【００２０】
前記画面１から画面６の処理ステップは、図２に示した通り、操作部１０２の操作によって選択キーを同一方向（左キー又は右キーの一方）を操作し続けると選択項目がトグルになっており、どちらのキーを連続して操作しても、いずれは同じ項目が選択できるようになっている。即ち、操作部１０２を操作して、同一のキーを操作し続けることにより、順次、宛先メールアドレス表示情報が変わり、一巡すると最初の宛先メールアドレス表示情報の表示に戻るように構成されている。
【００２１】
以上のようにして、宛先メールアドレスを入力し、操作部１０２から電子メールのサブジェクト及び本文を入力することによって電子メールを作成する。操作部１０２によってメール送信操作を行うと、制御部１０４は前記メール送信操作に応答して、前記のようにして作成した電子メールを、送受信部１０５及びアンテナ１０６を介して、当該宛先メールアドレス宛に送信する。
【００２２】
次に、図３を用いて、宛先メールアドレスを操作部１０２から直接選択入力する処理フローである「宛先直接選択入力フロー」について説明する。尚、ユーザカスタマイズによるアドレス登録設定画面については、類似の方法が既に存在するため省略し、ユーザがアドレス設定を行なった時点から説明する。また、メモリ１０３には複数の宛先メールアドレス（本実施の形態ではアドレス１〜アドレス６）が記憶されているものとする。尚、本宛先直接選択入力フローにおいては、宛先メールアドレスが宛先メールアドレス表示情報となっている。
【００２３】
先ず、携帯電話のメール機能を使って、メール作成画面を表示させる（ステップ２−１）。この場合、使用者が操作部１０２を操作することにより、操作部１０２が宛先直接選択入力フローの開始画面を表示させる操作を行うと、制御部１０４は操作部１０２の前記操作に応答して、表示部１０７が宛先直接選択入力フローの開始画面（画面８）を表示するように表示部１０７を制御し、これにより、表示部１０７は宛先直接選択入力フローの開始画面（画面８）を表示する。
【００２４】
表示部１０７には、新規作成の電子メール（新規メール）であること、宛先アドレスの入力欄（画面８では、メモリ１０３に記憶されているアドレス１が表示されている。）、電子メールのサブジェクト入力欄、電子メールの本文の入力欄、選択キーが表示されている。
この状態で、操作部１０２を操作して、宛先参照入力のテキストボックス（宛先アドレスを参照して入力する宛先参照入力欄）２０１にフォーカスをあてる（即ち、宛先参照入力欄をデータ入力や選択入力等の入力の対象とする。この場合、例えば、カーソルをあてる。）。尚、既に、使用者が事前に設定した（即ち、メモリ１０３に記憶されている）「アドレス１」が（画面８）のように表示されている（ステップ２−２）。
【００２５】
宛先参照入力のテキストボックス２０１にフォーカスがあたった状態で、操作部１０２の操作によって選択キーの右キーを操作すると、制御部１０４は、前記操作に応答して、テキストボックス内の項目が（画面９）のように、メモリ１０３に記憶されている「アドレス２」に変わるように表示部１０７を制御する。表示部１０７には、画面９の表示が行われる（ステップ２−３）。
宛先参照入力のテキストボックス２０１にフォーカスがあたったまま、操作部１０２の操作によって更に選択キーの右キーを押下操作すると、制御部１０４は、前記操作に応答して、テキストボックス２０１内の項目が（画面１２）のように「アドレス３」に変わるように表示部１０７を制御する。表示部１０７には、画面１２の表示が行われる（ステップ２−４）。
【００２６】
画面８において、宛先参照入力のテキストボックス２０１にフォーカスがあたった状態で、操作部１０２の操作によって逆に選択キーの左キーを押下操作すると、制御部１０４は、前記操作に応答して、テキストボックス内の項目が（画面７）のように「アドレス６」に変わるように表示部１０７を制御する。表示部１０７には、画面７の表示が行われる（ステップ２−５）。
【００２７】
宛先参照入力のテキストボックス２０１にフォーカスがあたった状態で、操作部１０２の操作によって更に選択キーの左キーを操作すると、制御部１０４は、前記操作に応答して、テキストボックス２０１内の項目が（画面１０）のように「アドレス５」に変わるように表示部１０７を制御する。表示部１０７には、画面１０の表示が行われる（ステップ２−６）。
【００２８】
前記画面７から画面１２の処理ステップは、図３の通り、操作部１０２の操作によって選択キーを同一方向（左キー又は右キーの一方）を操作し続けると選択項目がトグルになっており、どちらのキーを操作しても、いずれは同じ項目が選択できるようになっている。即ち、操作部１０２を操作して、同一のキーを操作し続けることにより、順次、宛先メールアドレス表示情報が変わり、一巡すると最初の宛先メールアドレス表示情報の表示に戻るように構成されている。
【００２９】
このようにして、メモリ１０３に記憶されている電子メールアドレスのいずれかを宛先メールアドレスとして選択して入力し、操作部１０２から電子メールのサブジェクト及び本文を入力することによって電子メールを作成する。操作部１０２によってメール送信操作を行うと、制御部１０４は前記メール送信操作に応答して、前記のようにして作成した電子メールを、送受信部１０５及びアンテナ１０６を介して、当該宛先メールアドレス宛に送信する。
【００３０】
以上述べたように、前記実施の形態によれば、電子メール送信機能を有する携帯電話１００等の携帯型通信装置において、宛先メールアドレスを選定するための情報である複数の宛先メールアドレス表示情報（複数の電子メールアドレスが関連付けられると共に、前記複数の電子メールアドレスの中から電子メールを送信する宛先メールアドレスを検索して選択するための情報や、宛先メールアドレス自体を表す情報）を記憶するメモリ１０３や、操作部１０２が所定操作（例えば一方向のキーの操作）される毎に、メモリ１０３から読み出した宛先メールアドレス表示情報を表示部１０７に順番に且つ循環的に表示するように表示部１０７を制御する制御部１０４とを備えて成り、制御部１０４は、各宛先メールアドレス表示情報を送信メール作成画面内の宛先メールアドレス入力用のテキストボックス２０１内に表示するように表示部１０７を制御するようにしている。
テキストボックス２０１に表示されたメールアドレスを宛先アドレスとして選択すると共に、メールのサブジェクトやメール本文を入力して、操作部１０２によって送信操作を行うと、制御部１０４は、送受信部１０５及びアンテナ１０６を介して、当該アドレス宛に当該電子メールを送信処理する。
【００３１】
ここで、制御部１０４による表示部１０７の前記制御を、送信メール作成時に行うようにしている。
また、制御部１０４は、前記宛先メールアドレス表示情報に基づいて操作部１０２が選択した宛先メールアドレスを表示部１０７における宛先メールアドレス入力用のテキストボックス２０１内に表示するように表示部１０７を制御するようにしている。
【００３２】
また、前記複数の宛先メールアドレス表示情報には、予め登録されている複数の宛先メールアドレスの中から検索して選択するための電話帳検索、送信した電子メールの宛先メールアドレスの中から検索して選択するための送信履歴一覧及び受信した電子メールの宛先メールアドレスの中から検索して選択するための受信履歴一覧の中の少なくとも１つが含まれて成るようにしている。
【００３３】
したがって、電子メールの宛先入力を簡単に行うことが可能になり、電子メールアドレス設定までの操作速度がはやくなるという効果を奏する。また、高齢者や身体障害者の利用が便利になるという効果を奏する。
また、使用者の拡張設定を可能にすることにより、同じ画面構成でいろいろな設定がカスタマイズできるという効果を奏する。
【００３４】
尚、前記実施の形態では、操作部１０２の操作によって選択キーの左右キーを用いて選択動作を行ったが、選択キーの上下キーを用いて行うことも可能であり又、他のキーを用いて行うことも可能である。
また、テキストボックス内でトグル表示される選択項目は、宛先参照入力方法だけでなく、ユーザの設定により、ユーザが優先的にリスト化していたメールアドレスでも可能である。
【産業上の利用可能性】
【００３５】
携帯電話、ＰＨＳ、通信機能を有するＰＤＡ等、電子メール送信機能を有する各種携帯型通信装置に適用することが可能である。
【図面の簡単な説明】
【００３６】
【図１】本発明の実施の形態に係る携帯電話のブロック図である。
【図２】本発明の実施の形態に係る携帯電話の処理を示す図である。
【図３】本発明の実施の形態に係る携帯電話の処理を示す図である。
【符号の説明】
【００３７】
１００・・・携帯電話
１０１・・・音声入出力手段を構成する音声入出力部
１０２・・・操作手段を構成する操作部
１０３・・・記憶手段を構成するメモリ
１０４・・・制御手段を構成する制御部
１０５・・・送信手段を構成する送受信部１０５
１０６・・・送信手段を構成するアンテナ
１０７・・・表示手段を構成する表示部
【図１】
2007122299.tif 000003
【図２】
2007122299.tif 000004
【図３】
2007122299.tif 000005